(57)【要約】      （修正有）【課題】撮像装置により撮像された撮像画像において通常の状態とは異なる状態を検出したときに適切に通知が可能な画像形成装置制御方法及びプログラムを提供する。【解決手段】システム１において、画像形成を行う画像形成部を備えた画像形成装置１０であって、ネットワークＮＷを介して画像形成装置に接続可能な撮像装置２０により撮像された撮像画像を取得する取得部と、取得された撮像画像において、通常とは異なる状態を検出する検出部と、検出部が前記通常とは異なる状態を検出した場合に、画像形成装置の動作モードに応じて通知を行う制御を行う通知部と、を備える。【選択図】図１
2020205526.tif 000002
【特許請求の範囲】
【請求項１】
画像形成を行う画像形成部を備えた画像形成装置であって、
前記画像形成装置に接続可能な撮像装置により撮像された撮像画像を取得する取得部と、
前記取得された撮像画像において、通常とは異なる状態を検出する検出部と、
前記検出部が前記異なる状態を検出した場合に、前記画像形成装置の動作モードに応じて通知を行う制御を行う通知部と、
を備えたことを特徴とする画像形成装置。
【請求項２】
前記画像形成装置は、前記動作モードとして、通常の動作モードと、省エネの動作モードとを有し、
前記通知部は、前記画像形成装置の動作モードが前記通常の動作モードの場合は、前記通知を行うことを特徴とする請求項１に記載の画像形成装置。
【請求項３】
前記通知部は、前記画像形成装置の動作モードが前記省エネの動作モードの場合は、通知を保留することを特徴とする請求項２に記載の画像形成装置。
【請求項４】
前記画像形成装置の動作モードを切り替える制御を行う制御部を更に有し、
前記通知部は、前記異なる状態を検出した場合に、前記画像形成装置の動作モードが前記省エネの動作モードのときは、前記制御部により、前記画像形成装置の動作モードを前記通常の動作モードに切り替えて、前記通知を行うことを特徴とする請求項２又は３に記載の画像形成装置。
【請求項５】
報知動作を行う報知部を更に有し、
前記通知部は、前記報知部より報知動作を行うことにより通知を行うことを特徴とする請求項１から４のいずれか一項に記載の画像形成装置。
【請求項６】
前記通知部は、前記撮像画像のうち、前記異なる状態を示す撮像画像を前記画像形成部により画像を形成することにより通知を行うことを特徴とする請求項１から５のいずれか一項に記載の画像形成装置。
【請求項７】
画像形成を行う画像形成部を備えた画像形成装置であって、
前記画像形成装置の周囲の人を検知する検知部と、
前記画像形成装置に接続可能な撮像装置により撮像された撮像画像を取得する取得部と、
前記取得された撮像画像において、通常の状態と異なる状態を検出する検出部と、
前記検出部が、前記異なる状態を検出した場合で、前記検知部により前記人を検知したときに通知を行う制御を行う通知部と、
を備えたことを特徴とする画像形成装置。
【請求項８】
画像形成を行う画像形成部を備えた画像形成装置の制御方法であって、
前記画像形成装置に接続可能な撮像装置により撮像された撮像画像を取得する取得ステップと、
前記取得された撮像画像において、通常とは異なる状態を検出する検出ステップと、
前記検出ステップにおいて前記異なる状態が検出された場合に、前記画像形成装置の動作モードに応じて通知を行う制御を行う通知ステップと、
を含むことを特徴とする制御方法。
【請求項９】
画像形成を行う画像形成部を備えた画像形成装置の制御方法あって、
前記画像形成装置の周囲の人を検知する検知ステップと、
前記画像形成装置に接続可能な撮像装置により撮像された撮像画像を取得する取得ステップと、
前記取得された撮像画像において、通常の状態と異なる状態を検出する検出ステップと、
前記検出ステップにおいて前記異なる状態が検出された場合で、前記検知ステップにおいて前記人が検知されたときに通知を行う制御を行う通知ステップと、
を含むことを特徴とする制御方法。
【請求項１０】
画像形成を行う画像形成部を備えた画像形成装置のコンピュータに、
前記画像形成装置に接続可能な撮像装置により撮像された撮像画像を取得する取得機能と、
前記取得された撮像画像において、通常とは異なる状態を検出する検出機能と、
前記検出機能によって前記異なる状態が検出された場合に、前記画像形成装置の動作モードに応じて通知を行う制御を行う通知機能と、
を実現させることを特徴とするプログラム。
【請求項１１】
画像形成を行う画像形成部を備えた画像形成装置のコンピュータに、
前記画像形成装置の周囲の人を検知する検知機能と、
前記画像形成装置に接続可能な撮像装置により撮像された撮像画像を取得する取得機能と、
前記取得された撮像画像において、通常の状態と異なる状態を検出する検出機能と、
前記検出機能によって前記異なる状態を検出された場合で、前記検知機能によって前記人が検知されたときに通知を行う制御を行う通知機能と、
を実現させることを特徴とするプログラム。
【発明の詳細な説明】
【技術分野】
【０００１】
本発明は、画像形成装置等に関する。
【背景技術】
【０００２】
従来、監視カメラの映像の管理や、監視カメラの映像に基づく異常の検知は、ＮＶＲ（Network Video Recorder）等の専用機器又は専用ソフトウェアを搭載したＰＣ（Personal Computer）によって行われている。また、ＮＶＲの代替として画像形成装置を利用して、簡易的な監視システムを構築する技術が開示されている（例えば、特許文献１参照）。
【先行技術文献】
【特許文献】
【０００３】
【特許文献１】特開２００５−１５１２２５
【発明の概要】
【発明が解決しようとする課題】
【０００４】
特許文献１に記載された技術によれば、利用者は、画像形成装置に対して、ＷＥＢカメラによって撮像された撮影画像に変化があった場合に、撮影画像をメール送信させたり、印字出力させたりすることができる。しかし、メール送信や印字出力の動作により、画像形成装置を操作する利用者に対して印刷を待たせてしまう等、画像形成装置を操作する利用者による画像形成装置の利用を阻害してしまうという問題があった。また、画像形成装置の状態が省エネ状態（省エネルギー状態）であるのにも関わらず、メール送信や印字出力の動作を実行するために、画像形成装置が省エネ状態を解除してしまうといった問題があった。さらに、画像形成装置の周囲における人の有無に関係なく通知を行うことで、画像形成装置の周囲の環境を乱してしまうという問題があった。
【０００５】
上述した課題に鑑み、本発明は、撮像装置により撮像された撮像画像において通常の状態とは異なる状態を検出したときに適切に通知が可能な画像形成装置等を提供することを目的とする。
【課題を解決するための手段】
【０００６】
上述した課題を解決するために、本発明の画像形成装置は、
画像形成を行う画像形成部を備えた画像形成装置であって、
前記画像形成装置に接続可能な撮像装置により撮像された撮像画像を取得する取得部と、
前記取得された撮像画像において、通常とは異なる状態を検出する検出部と、
前記検出部が前記異なる状態を検出した場合に、前記画像形成装置の動作モードに応じて通知を行う制御を行う通知部と、
を備えたことを特徴とする。
【０００７】
本発明の画像形成装置は、
画像形成を行う画像形成部を備えた画像形成装置であって、
前記画像形成装置の周囲の人を検知する検知部と、
前記画像形成装置に接続可能な撮像装置により撮像された撮像画像を取得する取得部と、
前記取得された撮像画像において、通常の状態と異なる状態を検出する検出部と、
前記検出部が、前記異なる状態を検出した場合で、前記検知部により前記人を検知したときに通知を行う制御を行う通知部と、
を備えたことを特徴とする。
【０００８】
本発明の制御方法は、
画像形成を行う画像形成部を備えた画像形成装置の制御方法であって、
前記画像形成装置に接続可能な撮像装置により撮像された撮像画像を取得する取得ステップと、
前記取得された撮像画像において、通常とは異なる状態を検出する検出ステップと、
前記検出ステップにおいて前記異なる状態が検出された場合に、前記画像形成装置の動作モードに応じて通知を行う制御を行う通知ステップと、
を含むことを特徴とする。
【０００９】
本発明の制御方法は、
画像形成を行う画像形成部を備えた画像形成装置の制御方法あって、
前記画像形成装置の周囲の人を検知する検知ステップと、
前記画像形成装置に接続可能な撮像装置により撮像された撮像画像を取得する取得ステップと、
前記取得された撮像画像において、通常の状態と異なる状態を検出する検出ステップと、
前記検出ステップにおいて前記異なる状態が検出された場合で、前記検知ステップにおいて前記人が検知されたときに通知を行う制御を行う通知ステップと、
を含むことを特徴とする。
【００１０】
本発明のプログラムは、
画像形成を行う画像形成部を備えた画像形成装置のコンピュータに、
前記画像形成装置に接続可能な撮像装置により撮像された撮像画像を取得する取得機能と、
前記取得された撮像画像において、通常とは異なる状態を検出する検出機能と、
前記検出機能によって前記異なる状態が検出された場合に、前記画像形成装置の動作モードに応じて通知を行う制御を行う通知機能と、
を実現させることを特徴とする。
【００１１】
本発明のプログラムは、
画像形成を行う画像形成部を備えた画像形成装置のコンピュータに、
前記画像形成装置の周囲の人を検知する検知機能と、
前記画像形成装置に接続可能な撮像装置により撮像された撮像画像を取得する取得機能と、
前記取得された撮像画像において、通常の状態と異なる状態を検出する検出機能と、
前記検出機能によって前記異なる状態を検出された場合で、前記検知機能によって前記人が検知されたときに通知を行う制御を行う通知機能と、
を実現させることを特徴とする。
【発明の効果】
【００１２】
本発明によれば、本発明は、撮像装置により撮像された撮像画像において通常の状態とは異なる状態を検出したときに適切に通知が可能となる。
【図面の簡単な説明】
【００１３】
【図１】第１実施形態におけるシステムの全体構成を説明するための図である。
【図２】第１実施形態における画像形成装置の機能構成を説明するためのブロック図である。
【図３】第１実施形態における利用者情報のデータ構成の一例を示した図である。
【図４】第１実施形態における撮像装置情報のデータ構成の一例を示した図である。
【図５】第１実施形態におけるイベント情報のデータ構成の一例を示した図である。
【図６】第１実施形態におけるジョブ情報のデータ構成の一例を示した図である。
【図７】第１実施形態における撮像装置の機能構成を説明するためのブロック図である。
【図８】第１実施形態における画像形成装置のメイン処理を説明するためのフロー図である。
【図９】第１実施形態におけるイベント検出処理を説明するためのフロー図である。
【図１０】第１実施形態におけるログイン処理を説明するためのフロー図である。
【図１１】第１実施形態における動作例を説明するための図である。
【図１２】第１実施形態における動作例を説明するための図である。
【図１３】第２実施形態における画像形成装置の機能構成を説明するためのブロック図である。
【図１４】第２実施形態における画像形成装置のメイン処理を説明するためのフロー図である。
【図１５】第２実施形態におけるログイン処理を説明するためのフロー図である。
【図１６】第２実施形態における動作例を説明するための図である。
【図１７】第３実施形態におけるシステムの全体構成を説明するための図である。
【図１８】第３実施形態における利用者情報のデータ構成の一例を示した図である。
【図１９】第３実施形態における情報処理装置の機能構成を説明するためのブロック図である。
【図２０】第３実施形態における画像形成装置のメイン処理を説明するためのフロー図である。
【図２１】第３実施形態における動作例を説明するための図である。
【図２２】第４実施形態におけるシステムの全体構成を説明するための図である。
【図２３】第４実施形態における画像形成装置のメイン処理を説明するためのフロー図である。
【図２４】第５実施形態における画像形成装置のメイン処理を説明するためのフロー図である。
【図２５】第６実施形態における画像形成装置の機能構成を説明するためのブロック図である。
【図２６】第６実施形態における画像形成装置のメイン処理を説明するためのフロー図である。
【発明を実施するための形態】
【００１４】
以下、本発明の実施の形態について、図面を参照して説明する。なお、本実施形態では、一例として、本発明を適用した画像形成装置を含むシステムについて説明する。
【００１５】
［１．第１実施形態］
［１．１  全体構成］
本実施形態におけるシステム１の全体構成を、図１に基づいて説明する。図１に示すように、システム１は、画像形成装置１０と、撮像装置２０とがネットワークＮＷを介して接続されて構成される。ネットワークＮＷとしては、ＬＡＮ（Local Area Network）が想定されるが、例えば、インターネットであってもよい。
【００１６】
画像形成装置１０は外部から入力される画像データを記録用紙等に画像を形成したりすることで、画像を出力する装置であり、いわゆる複合機と呼ばれる装置である。撮像装置２０は所定の領域の画像を撮像し、撮像して得られた画像を撮像画像データとして記憶する装置である。撮像装置２０は、いわゆるネットワークカメラ、ＩＰカメラと呼ばれる装置である。また、撮像装置２０が記憶する撮像画像データは、例えば、定期的に（例えば、１秒毎に）所定の領域を撮像して得られる静止画像データであってもよいし、所定の期間（例えば、１時間）連続的に所定の領域を撮像して得られる動画像データであってもよい。撮像装置２０は、図１の２０ａ、２０ｂに示すように、１つのネットワーク内に複数接続されてもよい。
【００１７】
［１．２  機能構成］
［１．２．１  画像形成装置］
本実施形態における画像形成装置１０の機能構成を、図２に基づいて説明する。図２に示すように、画像形成装置１０は、制御部１００と、画像読取部１１０と、画像処理部１２０と、画像形成部１３０と、表示部１４０と、操作入力部１５０と、通信部１６０と、記憶部１７０とを備えて構成される。
【００１８】
制御部１００は、画像形成装置１０の全体を制御するための機能部である。制御部１００は、例えば、１又は複数の演算装置（ＣＰＵ（Central Processing Unit））等により構成され、各種プログラムを読み出して実行することにより各種機能を実現する。
【００１９】
本実施形態では、制御部１００は、記憶部１７０のプログラムを読み出して実行することにより、イベント検出部１０２の機能を実現する。イベント検出部１０２は、撮像画像データに基づき、イベントを検出する機能部である。
【００２０】
本実施形態におけるイベントとは、撮像画像データにおいて、通常の状態とは異なる状態が発生することをいう。イベント検出部１０２は、例えば、次の場合に、イベントを検出する。
【００２１】
（１）２つの撮像画像データ間に急峻な変化がある場合
イベント検出部１０２は、２つの撮像画像データを比較したときに急峻な変化がある場合にイベントを検出する。急峻な変化とは、例えば、２つの撮像画像データ間において、画素値や輝度値の差分が大きく変化した画素が多く生じた場合をいう。具体的には、イベント検出部１０２は、画素値や輝度値の差分が第１の閾値よりも大きい画素の数を計数し、計数した画素の数が第２の閾値よりも大きい場合にイベントを検出する。ここで、第１の閾値と第２の閾値は、通常起こりうる変化の大きさの上限を示した値である。すなわち、この検出方法は、２つの撮像画像データを比較した場合に、通常起こり得る変化の大きさを超えた変化が生じたときに、通常とは異なる状態が発生したとして、イベントを検出する方法である。
【００２２】
２つの撮像画像データは、例えば、所定の時間間隔（例えば、１秒間毎や、１０フレーム毎）だけ離れた２つの時点における撮像画像データである。イベント検出部１０２は、注目する時点における撮像画像データと、注目する時点から所定の時間間隔だけ遡った時点における撮像画像データとを比較する。また、イベント検出部１０２は、注目する時点を所定の時間間隔の分だけ進めて、再度、注目する時点における撮像画像データと、注目する時点から所定の時間間隔だけ遡った時点における撮像画像データとの比較を行う。このようにすることで、イベント検出部１０２は、撮像画像データを時系列に沿って順次比較する。そして、イベント検出部１０２は、所定の時間間隔を挟んだ前後の撮像画像データにおいて急峻な変化が発生したときにイベントを検出する。
【００２３】
また、イベント検出部１０２は、所定の時間間隔を挟んだ前後の撮像画像データを比較するのではなく、基準となる撮像画像データを定めておき、比較対象となる撮像画像データを、時系列に沿って変化させたときの撮像画像データとしてもよい。この場合は、イベント検出部１０２は、基準となる撮像画像データと、注目する時点における撮像画像データとの間において急峻な変化が発生したときに、イベントを検出する。
【００２４】
なお、画素値や輝度値の差分に対する第１の閾値、計数した画素の数に対する第２の閾値、所定の時間間隔、基準となる撮像画像データは、予め設定されていてもよいし、利用者によって設定可能であってもよい。
【００２５】
（２）機械学習による方法
イベント検出部１０２は、予め、通常の状態における撮像画像データに対して特徴量を算出し、通常の状態と判定する特徴量の範囲を学習する。つづいて、イベント検出部１０２は、撮像画像データを読み出して判定用の特徴量を算出する。イベント検出部１０２は、判定用の特徴量が通常の状態と判定する特徴量の範囲に含まれないと判定したときに、イベントを検出する。すなわち、この検出方法は、予め学習した通常の状態とは異なる状態の撮像画像データが入力されたときに、イベントを検出する方法である。
【００２６】
イベント検出部１０２は、検出したイベントに関する情報（イベント情報）を、記憶部１７０のイベント情報記憶領域１７８に記憶する。イベント情報には、イベントが発生した日時や、イベントが発生した時点における撮像画像データを示す情報が含まれる。なお、イベント検出部１０２は、上述した情報以外の情報をイベント情報に含めてもよい。例えば、通常の状態とは異なる状態が発生した撮像画像データにおける位置を示す情報（例えば、撮像画像データにおける座標の情報）や、発生したイベントの種類（人の映り込み、物の持ち去りや置き去り）といった情報がイベント情報に含まれてもよい。
【００２７】
画像読取部１１０は、原稿の画像を読み取って画像データを生成する機能部である。例えば、画像読取部１１０は、ＣＣＤ（Charge Coupled Device）やＣＩＳ（Contact Image Sensor）等のイメージセンサによって画像を電気信号に変換し、電気信号を量子化及び符号化することでデジタルデータを生成するスキャナ装置等により構成される。
【００２８】
画像処理部１２０は、画像データに各種画像処理を施す機能部である。例えば、画像処理部１２０は、画像データの鮮鋭化処理を行ったり、色変換処理を行ったりする。
【００２９】
画像形成部１３０は、画像データを記録媒体（例えば記録用紙）に形成する機能部である。画像形成部１３０は、例えば、電子写真方式を利用したレーザプリンタ等により構成される。
【００３０】
表示部１４０は、利用者に各種情報を表示するための機能部であり、例えば、ＬＣＤ（Liquid crystal display）や有機ＥＬ（Electro-luminescence）ディスプレイ等により構成される。また、操作入力部１５０は、利用者による操作指示を受け付けるための機能部であり、ハードキー（例えば、テンキー）やボタン等により構成される。なお、画像形成装置１０は、表示部１４０と、操作入力部１５０とが一体に形成されるタッチパネルを備えてもよい。タッチパネルの入力を検出する方式は、例えば、抵抗膜方式、赤外線方式、電磁誘導方式、静電容量方式といった、一般的な検出方式であればよい。
【００３１】
通信部１６０は、他の装置と接続したり、ネットワークに接続したりして、画像形成装置１０が他の装置との通信を行う機能部である。通信部１６０は、例えば、通信可能なインタフェースとして構成され、接続方法としては有線／無線の何れか又はその両方により実現される。
【００３２】
記憶部１７０は、画像形成装置１０の動作に必要な各種プログラムや、各種データを記憶する機能部である。記憶部１７０は、例えば、半導体メモリであるＳＳＤ（Solid State Drive）や、ＨＤＤ（Hard Disk Drive）等により構成される。
【００３３】
本実施形態において、記憶部１７０は、利用者情報記憶領域１７２と、撮像装置情報記憶領域１７４と、撮像画像データ記憶領域１７６と、イベント情報記憶領域１７８と、画像データ記憶領域１８０と、ジョブログ記憶領域１８４とを確保し、印刷キュー１８２を記憶する。
【００３４】
利用者情報記憶領域１７２は、画像形成装置１０の利用者に関する情報（以下、「利用者情報」という）を記憶する領域である。本実施形態における利用者情報は、例えば、図３に示すように、利用者を識別する利用者ＩＤ（例えば、「ｙａｍａｄａ」）と、パスワード（例えば、「aaa123」）と、利用者名（例えば、「山田  太郎」）と、利用者の属性（例えば、「一般利用者」）とによって構成される。
【００３５】
本実施形態では、利用者の属性には、画像形成装置１０に対する立場を示す情報として「一般利用者」又は「管理者」のいずれかが記憶されることとして説明する。属性が「一般利用者」である利用者（以下、「一般利用者」という）は、画像形成装置１０を利用することが可能な利用者である。また、属性が「管理者」である利用者（以下、「管理者」という）は、画像形成装置１０の利用に加えて、画像形成装置１０の管理運用を行ったり、イベントの確認や対応を行ったりする利用者である。
【００３６】
撮像装置情報記憶領域１７４は、ネットワークＮＷに接続される撮像装置２０に関する情報（以下、「撮像装置情報」という）を記憶する領域である。本実施形態における撮像装置情報は、例えば図４に示すように、撮像装置２０を識別する撮像装置ＩＤ（例えば、「１」）と、ネットワークＮＷにおいて撮像装置２０を識別するために割り振られたＩＰアドレス（例えば、「192.168.0.201」）とによって構成される。
【００３７】
撮像画像データ記憶領域１７６は、撮像画像データを記憶する領域である。撮像画像データは、例えば、撮像画像データ名によって識別される。また、撮像画像データ記憶領域１７６には、撮像画像データの他に、取得先となった撮像装置２０の情報（例えば、撮像装置ＩＤ）、撮像画像データを撮像装置２０から取得した日時といった、撮像画像データに関する情報も併せて記憶されてもよい。
【００３８】
イベント情報記憶領域１７８は、イベント情報を記憶する領域である。イベント情報は、例えば、図５に示すように、イベントが検出された撮像画像データの取得先となった撮像装置２０を識別する撮像装置ＩＤ（例えば、「１」）と、イベントの発生日時（例えば、「２０１９／０５／０１  １９：３０：１１」）と、対応撮像画像データ（例えば、「１９０５０１１９３０１１．ｊｐｇ」）とが記憶される。
【００３９】
対応撮像画像データは、イベントが発生した時点における撮像画像データである。対応撮像画像データには、イベントが発生した時点における撮像画像データそのものが記憶されてもよいし、イベントが発生した時点における撮像画像データが記憶された場所を特定する情報（例えば、撮像画像データ名等）が記憶されてもよい。
【００４０】
画像データ記憶領域１８０は、画像形成部１３０によって出力される画像データを記憶する領域である。画像データは、例えば、画像データ名によって識別される。画像データ記憶領域１８０には、例えば、画像読取部１１０によって読み取られた原稿の画像データや、通信部１６０を介して外部の装置から送信されたデータに基づく画像データが記憶される。
【００４１】
印刷キュー１８２は、画像形成装置１０が実行するジョブのうち、印刷ジョブに関するジョブ情報を記憶する。ジョブ情報とは、ジョブの内容を示した情報である。ジョブ情報には、例えば、図６に示すように、ジョブの実行を指示した利用者の利用者ＩＤ（例えば、「ｙａｍａｄａ」）及び利用者名（例えば、「山田  太郎」）と、ジョブ名（例えば、「sample.docx」）と、出力する画像データを特定する画像データ名（例えば、「img0011, img0012」）と、ジョブの実行状況（例えば、「実行中」）と、優先度（例えば、「通常」）とが含まれる。
【００４２】
優先度には、例えば、「通常」の他に、「高」や「低」が記憶される。この場合、優先度が「高」である印刷ジョブは、優先度が「通常」である印刷ジョブよりも先に実行される印刷ジョブであることを示す。また、優先度が「低」である印刷ジョブは、優先度が「高」や「普通」の印刷ジョブよりも後に実行される。なお、優先度が「低」である印刷ジョブは、利用者による指示があったときに実行されてもよい。
【００４３】
ジョブログ記憶領域１８４は、画像形成装置１０によって実行されたジョブの情報（以下、「ジョブログ」という）を記憶する領域である。ジョブログは、例えば、ジョブを実行した利用者の利用者ＩＤ、ジョブを実行した日時、ジョブの種類（例えば、コピー、ファクス、スキャン等）、実行したジョブのジョブ名、出力した画像データの画像データ名等が記憶される。
【００４４】
［１．２．２  撮像装置］
つづいて、本実施形態における撮像装置２０の機能構成を、図７に基づいて説明する。図７に示すように、撮像装置２０は、制御部２００と、撮像部２１０と、通信部２２０と、記憶部２３０とを備えて構成される。
【００４５】
制御部２００は、撮像装置２０の全体を制御するための機能部である。制御部２００は、各種プログラムを読み出して実行することにより各種機能を実現しており、例えば、１又は複数の演算装置（ＣＰＵ）等により構成されている。
【００４６】
撮像部２１０は、所定の領域を撮像し、撮影することにより得られる撮像画像データを記憶部２３０に確保された撮像画像データ記憶領域２３２に記憶する機能部である。撮像部２１０は、例えば、カメラといった画像入力装置と、画像入力装置の制御や撮像画像データの生成や記憶を行うコントローラとによって構成される。
【００４７】
通信部２２０は、撮像装置２０が外部の装置と通信を行うための機能部である。通信部２２０は、例えば、通信可能なインタフェースとして構成され、接続方法としては有線／無線の何れか又はその両方により実現される。
【００４８】
記憶部２３０は、各種データを記憶する機能部である。記憶部２３０は、例えば、ＳＤカード、コンパクトフラッシュ、ＵＳＢ（Universal Serial Bus）メモリといった可搬型の記憶媒体を用いて構成されてもよいし、ＨＤＤやＳＳＤによって構成されてもよい。
【００４９】
［１．３  処理の流れ］
図８を参照して、画像形成装置１０のメイン処理について説明する。画像形成装置１０のメイン処理は、制御部１００及びイベント検出部１０２が実行する処理である。
【００５０】
はじめに、制御部１００及びイベント検出部１０２は、イベント検出処理を実行する（ステップＳ１１０）。イベント検出処理は、撮像装置２０に記憶された撮像画像データを取得し、取得した撮像画像データに基づきイベントを検出する処理である。イベント検出処理は、定期的に（例えば、毎日午前８時）実行されてもよいし、管理者等の指示により実行されてもよい。イベント検出処理の流れについて、図９を参照して説明する。
【００５１】
はじめに、制御部１００は、撮像装置情報記憶領域１７４から撮像装置情報を１件ずつ読み出す（ステップＳ１１０２）。つづいて、制御部１００は、読み出した撮像装置情報に記憶されたＩＰアドレスによって特定される撮像装置２０から撮像画像データを取得する（ステップＳ１１０４）。なお、撮像装置２０の制御部２００は、画像形成装置１０からの撮像画像データの取得の要求を受信したら、撮像画像データ記憶領域２３２から撮像画像データを読み出し、通信部２２０を介して、撮像画像データを画像形成装置１０へ送信する。
【００５２】
ステップＳ１１０４において、制御部１００は、撮像装置２０から未取得の撮像画像データを取得してもよい。例えば、制御部１００は、撮像画像データ記憶領域１７６から、ステップＳ１１０２で読み出した撮像装置情報の撮像装置ＩＤで特定される撮像装置から取得した撮像画像データに関する情報を読み出す。読み出した情報のうち、撮像画像データを取得した日時が最も遅い日時が最後に撮像画像データを取得した日時であり、最後に撮像画像データを取得した日時に取得した撮像画像データが、最後に取得した撮像画像データである。制御部１００は、最後に取得した撮像画像データの情報（取得した日時や撮像画像データ名）を撮像装置２０に送信する。撮像装置２０の制御部２００は、画像形成装置１０から受信した情報から特定される撮像画像データよりも後に記憶した撮像画像データを画像形成装置１０に送信する。このように、撮像画像データの情報に基づき、画像形成装置１０は未取得の撮像画像データを取得できる。
【００５３】
なお、撮像装置２０から撮像画像データを取得したら、制御部１００は、取得した撮像画像データを、撮像画像データ記憶領域１７６に記憶する。
【００５４】
つづいて、イベント検出部１０２は、撮像画像データ記憶領域１７６から、これまでに読み出していない撮像画像データを読み出して、イベントを検出する処理を実行する（ステップＳ１１０６）。イベントを検出した場合は、イベント検出部１０２は、検出したイベントに関するイベント情報をイベント情報記憶領域１７８に記憶する（ステップＳ１１０６；Ｙｅｓ→ステップＳ１１０８）。
【００５５】
イベント検出部１０２は、イベントを検出した場合は、対応撮像画像データを取得する。ステップＳ１１０６で読み込まれた撮像画像データが静止画像データであれば、イベント検出部１０２は、イベントを検出したときの静止画像データを対応撮像画像データとして取得する。また、イベント検出部１０２は、例えば、取得した対応撮像画像データをイベント情報の対応撮像画像データとして記憶する。なお、イベント検出部１０２は、対応撮像画像データに対応する撮像画像データの撮像画像データ名をイベント情報の対応撮像画像データとして記憶してもよい。
【００５６】
イベント検出部１０２がステップＳ１１０６で読み込んだ撮像画像データが動画像データであれば、イベントを検出したときのフレーム画像データを対応撮像画像データとして取得する。この場合、イベント検出部１０２は、例えば、取得したフレーム画像データをイベント情報の対応撮像画像データとして記憶する。なお、イベント検出部１０２は、取得したフレーム画像データを記憶部１７０に記憶し、記憶したフレーム画像データを特定する情報（例えば、フレーム画像データのファイル名等）をイベント情報の対応撮像画像データとして記憶してもよい。
【００５７】
つづいて、制御部１００は、撮像装置情報記憶領域１７４に記憶された撮像装置情報を全て読み出した場合は、イベント検出処理を終了する（ステップＳ１１１２；Ｙｅｓ）。撮像装置情報を全て読み出していない場合は、ステップＳ１１０２へ戻る（ステップＳ１１１２；Ｎｏ→ステップＳ１１０２）。
【００５８】
図８に戻り、つづいて、制御部１００は、ログイン処理を実行する（ステップＳ１２０）。ログイン処理については、イベント検出処理の流れについて、図１０を参照して説明する。
【００５９】
はじめに、制御部１００は、利用者によってログイン操作がされたか否かを判定する（ステップＳ１２０２）。ログイン操作とは、例えば、利用者によって利用者ＩＤとパスワードとが入力され、ログインを行うためのボタンが選択される操作である。
【００６０】
利用者によってログイン操作がされた場合は、制御部１００は、利用者を認証し、認証が成功した場合は、表示部１４０にホーム画面を表示する（ステップＳ１２０４→ステップＳ１２０６）。利用者の認証は、例えば、制御部１００は、利用者によって入力された利用者ＩＤとパスワードとを含んだ利用者情報を利用者情報記憶領域１７２から検索する。検索した結果、利用者によって入力された利用者ＩＤとパスワードとを含んだ利用者情報が検索できた場合は、制御部１００は利用者の認証が成功したとする。なお、制御部１００は、利用者によって入力された利用者ＩＤとパスワードとを含んだ利用者情報が見つからなかった場合は、利用者の認証ができなかったとする。この場合は、制御部１００は、エラーを表示してもよい。
【００６１】
つづいて、制御部１００は、イベント情報記憶領域１７８にイベント情報が記憶されているか否かを判定する（ステップＳ１２０８）。イベント情報が記憶されている場合は、制御部１００は、ステップＳ１２０４で認証した利用者の属性が「管理者」であるか否かを判定する（ステップＳ１２０８；Ｙｅｓ→ステップＳ１２１０）。例えば、制御部１００は、ステップＳ１２０４において検索して見つけた利用者情報に記憶された属性が管理者か否かであるかを判定すればよい。
【００６２】
つづいて、制御部１００は、利用者の属性が「管理者」であると判定した場合は、制御部１００は、第１の通知を行う（ステップＳ１２１０；Ｙｅｓ→ステップＳ１２１２）。
【００６３】
第１の通知とは、表示部１４０の表示領域のうち、大部分を占める領域に、通知に関する情報（通知内容）を表示することによる通知である。例えば、制御部１００は、第１の通知として、利用者に対して通知すべき情報があるといったことや、イベント情報が記憶されているといったことを通知内容とした、ウィンドウ等を表示する処理を行う。表示部１４０に表示されるウィンドウ等は、ホーム画面上のボタンや文字が隠れる程度の大きさである。例えば、制御部１００は、第１の通知として、表示部１４０の表示領域全体に通知内容をウィンドウで表示することで通知してもよいし、表示部１４０の表示領域よりも一回り小さい大きさのウィンドウに通知内容を表示することで通知してもよい。また、制御部１００は、第１の通知として、通知内容を、いわゆるモーダルダイアログに表示し、利用者（管理者）から第１の通知に対する操作がされない限り、画像形成装置１０の機能を利用できないようにしてもよい。
【００６４】
したがって、利用者（この場合は、管理者）は、第１の通知がされた場合、第１の通知に対する操作を行わなければ、画像形成装置１０の利用が制限（阻害）されることとなる。この結果、画像形成装置１０は、管理者によって通知が見落とされる可能性を低くさせることができる。
【００６５】
なお、制御部１００は、管理者から、第１の通知に対して所定の操作された場合（例えば、ウィンドウ等に含まれる「詳細情報を確認」というボタンが選択された場合）、イベント情報記憶領域１７８に記憶されたイベント情報の内容を表示してもよい。このようにすることで、管理者は、第１の通知に対する操作を行うことで、イベント情報を確認することができる。
【００６６】
一方で、ステップＳ１２１０において、利用者の属性が「管理者」ではないと判定した場合は、ステップＳ１２０４で認証した利用者は一般利用者であることとなる。この場合、制御部１００は、第２の通知を行う（ステップＳ１２１０；Ｎｏ→ステップＳ１２１４）。
【００６７】
第２の通知とは、制御部１００が、表示部１４０に所定の表示を行うことによる通知である。所定の表示は、第１の通知において表示するウィンドウ等の表示よりも小さい表示であり、例えば、制御部１００は、表示部１４０に表示されるホーム画面上のボタン等が隠れない程度の大きさの表示である。具体的には、第２の通知として、制御部１００は、表示部１４０に、所定の表示として、アイコンや「通知が有ります」といった文字を含む吹き出しを表示する。また、所定の表示の位置は、画像形成装置１０の状態に関する情報を表示するステータス領域の内部や、ステータス領域と動作モードを選択するボタンが表示される領域との境目や、表示部１４０の表示領域の隅とする。このように、制御部１００は、第２の通知として、画像形成装置１０を操作するためのボタン等が隠れない程度の位置及び大きさの所定の表示を行うことで、一般利用者に対して、画像形成装置１０に対する操作の利便性を損なわないようにすることができる。
【００６８】
このように、ステップＳ１２０８〜ステップＳ１２１４の処理を実行することで、制御部１００は、イベント情報記憶領域１７８にイベント情報が記憶されている場合に、利用者の属性に応じて、通知方法を第１の通知と第２の通知とのいずれかに切り換える。より具体的には、制御部１００は、一般利用者が画像形成装置１０を使用する場合に比べて、管理者が画像形成装置１０を使用する場合に、表示部１４０に表示する内容を大きく表示する。このようにすることで、一般利用者に対しては利便性を損なわないようにしつつ、管理者に対してはイベント情報が記憶されていることを見落とさないように、通知を前面に押し出すことができる。
【００６９】
つづいて、制御部１００は、利用者によってイベント情報を削除する操作がされた場合は、削除の対象となったイベント情報を削除する（ステップＳ１２１６；Ｙｅｓ→ステップＳ１２１８）。イベント情報を削除する操作とは、例えば、第１の通知として表示されたウィンドウ等に設けられた「削除」ボタンが利用者によって選択される操作である。
【００７０】
なお、ステップＳ１２０８において、イベント情報記憶領域１７８にイベント情報が記憶されていないと判定した場合は（ステップＳ１２０８；Ｎｏ）、制御部１００は、ステップＳ１２１０〜ステップＳ１２１８の処理をスキップする。この場合は、制御部１００は、第１の通知及び第２の通知を実行せず、表示部１４０にホーム画面を表示する。
【００７１】
ここで、ステップＳ１２１８で、イベント情報記憶領域１７８に記憶されたイベント情報が全て削除され、次に利用者がログインするときまでに新たなイベント情報が記憶されない場合が考えられる。この場合は、制御部１００は、ステップＳ１２０８において、イベント情報記憶領域１７８にイベント情報が記憶されていないと判定し、第１の通知及び第２の通知を実行しない。したがって、管理者は、確認・対応したイベントに関するイベント情報を削除することで、表示部１４０に通知内容が表示されたウィンドウや、所定の表示が表示されないようにすることができる。
【００７２】
図８に戻り、つづいて、制御部１００は、印刷キュー１８２に基づき印刷を実行する（ステップＳ１３０）。ここで、制御部１００は、ステップＳ１２０のログイン処理により、画像形成装置１０を使用する利用者を特定している。制御部１００は、画像形成装置１０を使用する利用者の利用者ＩＤや利用者名と一致するジョブ情報を印刷キュー１８２から読み出す。そして、読み出したジョブ情報に基づき、画像データに基づく画像を画像形成部１３０に形成することで印刷を実行する。このようにすることで、制御部１００は、画像形成装置１０を使用する利用者のジョブを実行する。
【００７３】
なお、制御部１００は、ステップＳ１１０６においてイベントが検出された場合は、ジョブログにイベントを検出した日時や、検出したイベントの内容を記憶する。また、ステップＳ１２１４及びステップＳ１２１６における通知の処理や、ステップＳ１２１８におけるイベント情報を削除する処理を実行したら、ジョブログ記憶領域１８４に、実行した処理に関するジョブログを記憶する。利用者は、ジョブログを確認することにより、画像形成装置１０が検出されたイベントの内容や、実行した通知方法、イベント情報が削除されたタイミングを知ることができる。
【００７４】
［１．４  動作例］
図を参照して本実施形態の動作例を説明する。図１１は、本実施形態において、イベント情報が記憶されている場合に表示部１４０に表示される画面の例を示した図である。
【００７５】
図１１（ａ）は、制御部１００が、第１の通知を行ったときに表示部１４０に表示される表示画面Ｗ１００の例である。図１１（ａ）に示すように、表示画面Ｗ１００には、通知すべき情報があることを通知内容としたウィンドウＥ１００が表示される。ウィンドウＥ１００は、表示部１４０の表示領域よりも一回り小さい大きさで、ホーム画面に含まれるボタン等を隠すように表示される。
【００７６】
ウィンドウＥ１００には、例えば、イベント情報を詳細に表示させるためのボタンＢ１００と、イベント情報を簡易的に表示させるためのボタンＢ１０２と、ウィンドウＥ１００を非表示にするためのボタンＢ１０４とが含まれる。
【００７７】
管理者によってボタンＢ１００が選択されたときは、画像形成装置１０は、表示部１４０に、後述する図１２に示す表示画面Ｗ１２０のように、イベント情報を一覧で表示する画面を表示する。また、画像形成装置１０は、管理者によってボタンＢ１０２が選択されたときは、例えば、最後に記憶されたイベント情報の内容や、イベント情報記憶領域１７８に記憶されているイベント情報の数の情報を含んだ画面を表示部１４０に表示する。
【００７８】
管理者によってボタンＢ１０４が選択された場合は、画像形成装置１０は、ウィンドウＥ１００を非表示にする。この場合、管理者はホーム画面に含まれるボタンを選択することができるようになるが、イベント情報は削除されない。したがって、管理者がログアウトをした後に、同じ又は別の管理者がログインした場合、再度、表示部１４０にウィンドウＥ１００が表示される。
【００７９】
図１１（ｂ）は、制御部１００が第２の通知を行ったときに、表示部１４０に表示される表示画面Ｗ１１０の例である。図１１（ｂ）に示すように、表示画面Ｗ１１０には、所定の表示として吹き出しＥ１１０が表示される。吹き出しＥ１１０は、図１１（ａ）のウィンドウＥ１００よりも小さく、ホーム画面に含まれるボタン等を隠さないように表示される。利用者は、吹き出しＥ１１０を見ることによりイベント情報が記憶されていることを知ることができるが、吹き出しＥ１１０に対する操作をしなくても、画像形成装置１０に対する通常の操作を行うことができる。
【００８０】
なお、利用者によって吹き出しＥ１１０が選択された場合は、制御部１００は、表示部１４０に利用者ＩＤとパスワードとを入力する画面を表示させてもよい。画像形成装置１０は、利用者によって入力された利用者ＩＤとパスワードとが、利用者情報記憶領域１７２に記憶された何れかの利用者情報の利用者ＩＤとパスワードとに一致し、属性が管理者である場合、図１２に示す表示画面Ｗ１２０を表示させてもよい。
【００８１】
図１２は、イベント情報記憶領域１７８に記憶されたイベント情報を一覧で表示する表示画面Ｗ１２０の画面例である。表示画面Ｗ１２０には、イベントが発生した日時や、対応撮像画像データを表示させるためのボタンＢ１２０や、対応撮像画像データを印刷させるためのボタンＢ１２２が含まれる。画像形成装置１０の利用者は、ボタンＢ１２０やボタンＢ１２２を選択することで、対応撮像画像データを確認することができる。
【００８２】
なお、表示画面Ｗ１２０には、イベントが検出された撮像画像データの取得先となった撮像装置２０の情報（例えば、撮像装置ＩＤ）や、イベントの種類、通常の状態とは異なる状態が発生した位置等が表示されてもよい。また、イベント情報が複数記憶されている場合は、イベントが生じた日時順に、イベント情報が並べて表示されてもよい。
【００８３】
このようにすることで、吹き出しＥ１１０を確認した一般利用者は、管理者に対して吹き出しＥ１１０が表示されていることを伝えることができる。また、管理者は、吹き出しＥ１１０を選択して、イベント情報を確認することができる。
【００８４】
また、図１２に示した表示画面Ｗ１２０は、イベント情報を一覧で表示する一例であり、例えば、対応撮像画像データのサムネールを、イベントが検出された日時の順に沿って並べた表示画面を表示してもよい。
【００８５】
なお、上述した実施形態の説明では、利用者の属性を、一般利用者と管理者のいずれかとしたが、属性の種類は３以上であっても構わない。この場合においても、画像形成装置１０は、イベント情報が記憶されているときに、利用者の属性に応じた通知方法に切り替えて通知を行えばよい。また、ゲストユーザによる画像形成装置１０の利用を許可し、ゲストユーザとログイン済みユーザとで、イベント情報が記憶されていることの通知方法を切り替えて通知してもよい。
【００８６】
また、イベント情報が記憶されている場合に、画像形成装置１０の利用者の属性に応じて切り替えて通知を行うことができれば、システム１に含まれる装置の構成は適宜変更しても構わない。例えば、イベント検出部１０２を撮像装置２０に備えてもよいし、ネットワークＮＷ上の別の装置に備えてもよい。この場合、イベント情報は、撮像装置２０やネットワークＮＷ上の別の装置に記憶されてもよいし、撮像装置２０やネットワークＮＷ上の別の装置から画像形成装置１０へ送信されてもよい。また、撮像装置２０は撮像画像データをネットワークＮＷ上の記憶装置に記憶してもよい。この場合、画像形成装置１０は、撮像画像データをネットワークＮＷ上の記憶装置から取得すればよい。
【００８７】
また、ステップＳ１２１６〜Ｓ１２１８の処理によりイベント情報を削除する代わりに、イベント情報に管理者によってイベント情報が確認されたか否かを示す情報を記憶してもよい。この場合、管理者によって確認されていないイベント情報がある場合は、制御部１００は、第１の通知又は第２の通知を実行する。また、管理者によってイベント情報が確認された場合は、制御部１００は、確認されたイベント情報に、管理者によってイベント情報が確認されたことを示す情報を記憶する。イベント情報記憶領域１７８には確認済みのイベント情報と未確認のイベント情報とが記憶されるので、例えば、図１２の表示画面Ｗ１２０においては、確認済みか否かに関わらず、イベント検出部１０２が検出したイベントを表示させることが可能となる。
【００８８】
本実施形態によれば、イベント情報が記憶されている場合、画像形成装置は、通知方法を画像形成装置の利用者の属性に応じて切り替えて、通知を行うことが可能となる。このようにすることで、画像形成装置の利用者が一般利用者である場合は、画像形成装置に対する操作の極力利便性を損なわないようにすることができる。一方で、画像形成装置の利用者が管理者である場合は、通知を優先させることで、見落としがされないようにすることができる。
【００８９】
［２．第２実施形態］
つづいて第２実施形態について説明する。第２実施形態は第１実施形態と異なり、表示部１４０に通知を表示する方法以外の方法によっても、イベント情報が記憶されていることを通知を行う実施形態である。本実施形態は、第１実施形態の図２を図１３に、図８を図１４に、図１０を図１５に、それぞれ置き換えたものである。なお、同一の機能部及び処理には同一の符号を付し、説明については省略する。
【００９０】
本実施形態における画像形成装置１２の機能構成を図１３に示す。画像形成装置１２は、画像形成装置１０と異なり、報知部１９０を更に備えている。
【００９１】
報知部１９０は、音声や光を発する報知動作によって、画像形成装置１２の利用者に対して画像形成装置１２の状態を伝達したり、通知を行ったりする機能部である。音声出力部１９２は、音声を出力する機能部であり、例えば、スピーカーによって構成される。また、発光部１９４は、点灯又は消灯が可能な光源を備える機能部であり、例えば、発光ダイオード等のランプによって構成される。
【００９２】
つづいて、本実施形態における画像形成装置１２のメイン処理の流れを、図１４を参照して説明する。まず、制御部１００及びイベント検出部１０２はイベント検出処理を実行する（ステップＳ１１０）。つづいて、制御部１００は、イベント情報記憶領域１７８にイベント情報が記憶されているか否かを判定する（ステップＳ２０２）。イベント情報が記憶されている場合は、制御部１００は、イベント情報の画像データを生成し、画像データ記憶領域１８０に記憶する（ステップＳ２０２；Ｙｅｓ→ステップＳ２０４）。イベント情報の画像データとは、イベント情報の内容を印刷によって出力するための画像データであり、イベントが発生した日時を示すテキストデータや、対応撮像画像データを含んだ画像データである。
【００９３】
つづいて、制御部１００は、ログイン処理を実行する（ステップＳ１２０）。本実施形態における画像形成装置１２のログイン処理の流れを図１５に示す。本実施形態では、利用者の属性が「管理者」の場合、制御部１００は、ステップＳ２０４で記憶したイベント情報の画像データを印刷する印刷ジョブのジョブ情報であって、優先度が「高」のジョブ情報を、印刷キュー１８２に記憶する（ステップＳ２２０２）。また、制御部１００は、報知部１９０を制御して、イベント情報が記憶されていることを示す報知動作を実行することで通知を行う（ステップＳ２２０４）。
【００９４】
ステップＳ２２０４においては、例えば、制御部１００は、音声を発することによって報知動作を実行する場合は、音声出力部１９２からビープ音やアラーム音、イベント情報が記憶されていることを案内する音声を出力する制御を行う。また、制御部１００は、光を発することによって報知動作を実行する場合は、発光部１９４を点灯させる制御を行う。また、制御部１００は、発光部１９４を点灯させたり、消灯させたりする制御を行うことで、発光部１９４を明滅（点滅）させてもよい。
【００９５】
一方で、利用者の属性が「一般利用者」の場合、制御部１００は、ステップＳ２０４で記憶したイベント情報の画像データを印刷する印刷ジョブのジョブ情報であって、優先度が「低」のジョブ情報を、印刷キュー１８２に記憶する（ステップＳ２２０６）。
【００９６】
図１４に戻り、制御部１００は、印刷キュー１８２に基づき印刷を実行する（ステップＳ１３０）。ここで、画像形成装置１０の利用者の属性が「管理者」である利用者がログインした場合は、ログイン処理のステップＳ２２０２において、イベント情報の画像データを印刷するジョブの優先度が「高」となっている。したがって、イベント情報の画像データを印刷するジョブは、通常の印刷ジョブよりも優先的に実行される。一方で、画像形成装置１０の利用者の属性が「一般利用者」である利用者がログインした場合は、ログイン処理のステップＳ２２０６において、イベント情報の画像データを印刷するジョブの優先度が「低」となっている。したがって、イベント情報の画像データを印刷するジョブは、通常の印刷ジョブよりも後に実行されたり、利用者から明示的に印刷の指示がされたときに実行されたりする。
【００９７】
このように、画像形成装置１２は、管理者に対してはイベント情報の内容を優先的に印刷することで、イベント情報を見落としがされないようにする。一方で、一般利用者に対しては、イベント情報の内容の印刷の優先度を低くすることで、極力利便性を損なわないようにする。
【００９８】
なお、制御部１００は、ステップＳ２０４において画像データを生成した場合や、ステップＳ２２０４において報知部１９０を介して報知動作を実行した場合は、ジョブログ記憶領域１８４に、実行した処理に関するジョブログを記憶する。
【００９９】
本実施形態の動作例を、図１６を参照して説明する。図１６（ａ）は、管理者が画像形成装置１２を使用する場合における、ジョブの実行状況を表示する表示画面Ｗ２００の例である。表示画面Ｗ２００には、印刷キュー１８２に記憶されたジョブ情報が表示される。なお、コピージョブやスキャンジョブといった、印刷ジョブ以外のジョブの情報が表示画面Ｗ２００に表示されてもよい。
【０１００】
図１６（ａ）の領域Ｊ２００は、イベント情報の画像データを印刷する印刷ジョブの情報が表示された領域である。領域Ｊ２００に示すように、イベント情報の画像データの印刷ジョブの優先度は「高」である。したがって、画像形成装置１２は、優先度が「通常」である印刷ジョブよりもイベント情報の画像データを印刷する印刷ジョブを優先的に実行し、イベント情報の画像データを印刷する。
【０１０１】
図１６（ｂ）は、一般利用者が画像形成装置１２を使用する場合における、ジョブの実行状況を表示する表示画面Ｗ２１０の例である。図１６（ｂ）の領域Ｊ２１０は、イベント情報の画像データを印刷する印刷ジョブの情報が表示された領域であるが、図１６（ａ）の領域Ｊ２００と異なり、優先度は「低」である。したがって、画像形成装置１２は、イベント情報の画像データを印刷する印刷ジョブよりも、優先度が「高」や「通常」である印刷ジョブが先に実行する。
【０１０２】
なお、上述した実施形態の説明では、音声、光、印刷による通知を行う方法について説明したが、そのうちの一部の方法を省略しても構わず、また、画像形成装置１２には、通知に必要な機能部のみを備えてもよい。例えば、音声による報知動作を行わない場合は、音声出力部１９２を備えなくてもよく、また、ステップＳ２０４において、制御部１００は音声出力部１９２を制御する処理を省略する。どの方法により、イベント情報が記憶されていることに関する通知を行うかについては、予め定められていてもよいし、画像形成装置１２の管理者等により設定可能としてもよい。
【０１０３】
また、上述した実施形態の説明では、イベント情報の画像データを生成する処理をログイン処理の前に行ったが、ログイン処理の後に行っても構わない。具体的には、制御部１００は、属性が「管理者」である利用者がログインしたときにイベント情報の画像データを生成して画像データ記憶領域１８０に記憶する。また、イベント情報の画像データを印刷する印刷ジョブを印刷キュー１８２に記憶する。管理者のログアウト時に、イベント情報の画像データが未印刷であれば、制御部１００は、イベント情報の画像データを画像データ記憶領域１８０から削除し、イベント情報の画像データを印刷する印刷ジョブを印刷キュー１８２から削除する。
【０１０４】
本実施形態によれば、画像形成装置は、イベント情報が記憶されている場合における通知の方法として、画像形成装置の利用者の属性に応じて切り替えて、音声、光、印刷による出力による通知が可能となる。特に、通常の画像形成装置はＮＶＲ等の専用機器に比べ、通知に利用可能な手段が限られているため、画像形成装置は、報知部を介して適切な報知動作を実行することで、有効な通知を行うことが可能となる。
【０１０５】
［３．第３実施形態］
つづいて第３実施形態について説明する。第３実施形態は第１実施形態と異なり、ネットワークに接続された他の装置にも、イベント情報が記憶されていることを通知を行う実施形態である。本実施形態は、第１実施形態の図１を図１７に、図３を図１８に、図８を図２０に、それぞれ置き換えたものである。なお、同一の機能部及び処理には同一の符号を付し、説明については省略する。
【０１０６】
本実施形態におけるシステム２の全体構成を、図１７に示す。図１７に示すように、システム２は、画像形成装置１０と、撮像装置２０と、情報処理装置３０と、メールサーバ４０とがネットワークＮＷを介して接続されて構成される。
【０１０７】
情報処理装置３０は、例えばＰＣ（Personal Computer）や、タブレットやスマートフォンといった装置であり、画像形成装置１０の利用者によって使用される装置である。なお、図１７の３０ａ、３０ｂに示すように、情報処理装置３０は、１つのネットワーク内に複数接続されてもよい。
【０１０８】
メールサーバ４０は、メールの送受信を行う情報処理装置である。なお、図１７に示すように、ネットワークＮＷにメールサーバ４０が接続されていてもよいし、画像形成装置１０にメールサーバの機能が備えられていてもよい。
【０１０９】
本実施形態において、画像形成装置１０によって記憶される利用者情報を図１８に示すように、第１実施形態の利用者情報に、さらに、ネットワークＮＷにおいて情報処理装置３０を識別するために割り振られたＩＰアドレス（例えば、「192.168.0.101」）と、メールアドレス（例えば、「yamada@example.com」）とが記憶される。
【０１１０】
利用者情報に記憶されるＩＰアドレスやメールアドレスは、利用者が使用する情報処理装置３０のＩＰアドレスや、利用者が受信可能なメールアドレスが記憶される。
【０１１１】
本実施形態における情報処理装置３０の機能構成を図１９に基づいて説明する。図１９に示すように、情報処理装置３０は、制御部３００と、表示部３１０と、操作入力部３２０と、通信部３３０と、記憶部３４０とを備えて構成される。
【０１１２】
制御部３００は、情報処理装置３０の全体を制御するための機能部である。制御部３００は、各種プログラムを読み出して実行することにより各種機能を実現しており、例えば、１又は複数の演算装置（ＣＰＵ）等により構成されている。
【０１１３】
表示部３１０は、利用者に各種情報を表示するための機能部であり、例えばＬＣＤ等により構成されている。また、操作入力部３２０は、利用者による操作指示を受け付けるための機能部であり、例えば、キーボードやマウスといった装置によって構成される。
【０１１４】
通信部３３０は、情報処理装置３０が外部の装置と無線通信を行うための機能部である。通信部３３０は、例えば、無線ＬＡＮで利用されるＮＩＣや、ＬＴＥ（Long Term Evolution）／ＬＴＥ−Ａ（LTE-Advanced）／ＬＡＡ（License-Assisted Access using LTE）／５Ｇ回線に接続可能な通信モジュールにより構成される。
【０１１５】
記憶部３４０は、情報処理装置３０の動作に必要な各種プログラムや、各種データを記憶する機能部である。記憶部３４０は、例えば、半導体メモリであるＳＳＤや、ＨＤＤ等により構成される。
【０１１６】
記憶部３４０には、ステータスモニタプログラム３４２が記憶される。ステータスモニタプログラム３４２は、画像形成装置１０から受信した情報に基づき、画像形成装置１０の状態を表示するプログラムである。
【０１１７】
画像形成装置１０から情報処理装置３０に送信される情報としては、実行が完了したジョブの情報や、トナーの残量といった情報が含まれる。また、画像形成装置１０から情報処理装置３０に、イベント情報が送信される。
【０１１８】
本実施形態における画像形成装置１０のメイン処理を、図２０を参照して説明する。制御部１００及びイベント検出部１０２はイベント検出処理を実行する（ステップＳ１１０）。つづいて、制御部１００は、イベント情報記憶領域１７８にイベント情報が記憶されているか否かを判定する（ステップＳ３０２）。
【０１１９】
イベント情報が記憶されている場合は、制御部１００は、利用者情報記憶領域１７２から、属性が「管理者」である利用者情報を読み出す（ステップＳ３０２；Ｙｅｓ→ステップＳ３０４）。つづいて、制御部１００は、読み出した利用者情報に記憶されているＩＰアドレスやメールアドレスを送信先として、イベント情報を送信する（ステップＳ３０６）。
【０１２０】
例えば、制御部１００は、利用者情報に記憶されたＩＰアドレスを送信先として、イベント情報を送信する。この場合は、管理者が使用する情報処理装置３０には、ステータスモニタプログラム３４２によって、画像形成装置１０から受信したイベント情報が表示される。管理者は、ステータスモニタプログラム３４２によって表示されたイベント情報を確認することで、画像形成装置１０にイベント情報が記憶されていることや、イベント情報の内容を知ることができる。
【０１２１】
また、制御部１００は、利用者情報に記憶されたメールアドレスを送信先として、イベント情報を内容としたメールをメールサーバ４０に送信する。この場合は、管理者は、メールサーバ４０に記憶されたメールを受信することで、画像形成装置１０にイベント情報が記憶されていることや、イベント情報の内容を知ることができる。
【０１２２】
つづいて、制御部１００は、ログイン処理を実行する（ステップＳ１２０）。なお、イベント情報が記憶されていない場合は、ステップＳ３０４及びステップＳ３０６をスキップして、制御部１００は、ログイン処理を実行する（ステップＳ３０２；Ｎｏ→ステップＳ１２０）。
【０１２３】
また、制御部１００は、ステップＳ３０６においてイベント情報を他の装置に送信した場合は、ジョブログ記憶領域１８４に、に実行した処理に関するジョブログを記憶する。
【０１２４】
本実施形態の動作例を、図２１を参照して説明する。図２１（ａ）は、管理者が使用する情報処理装置３０において、ステータスモニタプログラム３４２が実行された場合に表示部３１０に表示される表示画面Ｗ３００の例である。表示画面Ｗ３００には、画像形成装置１０から受信したイベント情報を表示する領域Ｅ３００や、対応撮像画像データを表示するボタンＢ３００や、対応撮像画像データを画像形成装置１０で印刷するボタンＢ３０２が含まれる。
【０１２５】
図２１（ｂ）は、一般利用者が使用する情報処理装置３０において、ステータスモニタプログラム３４２が実行された場合に表示部３１０に表示される表示画面Ｗ３１０の例である。一般利用者が使用する情報処理装置３０には、完了したジョブの情報等が画像形成装置１０から送信されるが、イベント情報は送信されない。したがって、表示画面Ｗ３１０には、例えば完了したジョブの情報が表示される。
【０１２６】
なお、画像形成装置１０は、情報処理装置３０に対してイベント情報を送信する方法と、イベント情報を内容としたメールを送信する方法の何れか一方の方法により通知してもよく、通知方法が管理者等によって設定されてもよい。また、上述した方法以外の方法により、画像形成装置が情報処理装置に対して、イベント情報が記憶されていることを報知してもよい。例えば、画像形成装置１０は、利用者内で使用されるチャットシステムにイベント情報を投稿してもよい。
【０１２７】
また、画像形成装置１０は、イベント情報そのものを情報処理装置３０やメールサーバ４０に送信するのではなく、イベント情報が記憶されていることや、記憶されているイベント情報の数といった、イベント情報の概要を示す情報を送信してもよい。
【０１２８】
また、画像形成装置１０は、イベント情報が記憶されていないことを示す情報を送信してもよい。ステータスモニタプログラム３４２が、イベント情報が記憶されていないことを示す情報を表示することで、管理者は、イベントの検出がされていないこと、すなわち、イベントが発生していないことを確認することができる。
【０１２９】
本実施形態によれば、イベント情報が記憶されている場合、画像形成装置の利用者の属性に応じて、画像形成装置の利用者が使用する情報処理装置にイベント情報を通知を行うことが可能となる。
【０１３０】
［４．第４実施形態］
つづいて第４実施形態について説明する。第４実施形態は、イベント情報が記憶されている場合における通知方法を、画像形成装置１２の機器状態に応じて切り替える実施形態である。本実施形態は、第２実施形態の図１４を図２３に置き換えたものである。なお、同一の機能部及び処理には同一の符号を付し、説明については省略する。
【０１３１】
本実施形態では、画像形成装置１２は、動作モードとして、通常の動作モードと、省エネの動作モードとの２つの動作モードを有することとする。通常の動作モードとは、画像形成装置１２に備えられた全ての機能が使用できるモードであり、ジョブが実行されていない場合は待機を行うモードである。一方で、省エネの動作モードとは、画像形成装置１２が所定の機能部に対する電力の供給を抑えるモードであり、いわゆる、省エネモード、スリープモードともいわれるモードである。利用者は、省エネの動作モードにおいては、例えば、画像形成装置１２の一部の機能（例えば、ファクスの受信等）しか使用できなかったり、定着器の温度が下がることにより、印刷ジョブが実行されても印刷の開始まで時間を要したりする。また、本実施形態では、画像形成装置１２の機器状態として、通常モードの動作モードで動作している状態を通常状態（第１の状態）とし、省エネの動作モードで動作している状態を省エネ状態（第２の状態）とする。
【０１３２】
通常の動作モードから省エネの動作モードへは、例えば、現在の時刻が画像形成装置１２の管理者等によって動作モードを省エネのモードで動作させると設定されたスケジュールにより設定された時間帯に含まれる場合に、制御部１００によって切り替えられる。また、利用者による画像形成装置１２の使用が一定時間なかった場合にも、制御部１００によって切り替えられてもよい。動作モードが切り替わることにより、画像形成装置１２の機器状態も第１の状態から第２の状態に移行することとなる。
【０１３３】
本実施形態におけるシステム３の全体構成を、図２２に示す。図２２に示すように、システム３は、画像形成装置１２と、撮像装置２０と、情報処理装置３０と、メールサーバ４０とがネットワークＮＷを介して接続されて構成される。
【０１３４】
なお、本実施形態における画像形成装置１２の利用者情報記憶領域１７２には、第３実施形態のように、利用者ＩＤ、パスワード、利用者名、属性の他に、ＩＰアドレスやメールアドレスが記憶されていることとする。
【０１３５】
つづいて、本実施形態のメイン処理を、図２２を参照して説明する。まず、制御部１００及びイベント検出部１０２はイベント検出処理を実行する。つづいて、制御部１００は、イベント情報記憶領域１７８にイベント情報が記憶されているか否かを判定する（ステップＳ４０２）。
【０１３６】
イベント情報が記憶されている場合は、制御部１００は、画像形成装置１２の機器状態が省エネ状態であるか否かを判定する（ステップＳ４０２→ステップＳ４０４）。画像形成装置１２の機器状態が省エネ状態であるか否かの判定は、例えば、制御部１００は、画像形成装置１２の動作モードが省エネの動作モードである場合に、画像形成装置１２の機器状態が省エネ状態であると判定すればよい。なお、制御部１００は、現在の時刻が動作モードを省エネの動作モードで動作させると設定された時間帯に含まれる場合に、画像形成装置１２の機器状態が省エネ状態であると判定してもよい。また、制御部１００は、省エネの動作モードでは使用できない機能が使用できない場合や、定着器の温度が印刷を実行できない温度まで下がっている場合に、画像形成装置１２の機器状態が省エネ状態であると判定してもよい。
【０１３７】
画像形成装置１２の機器状態が省エネ状態でない場合、すなわち、通常状態である場合は、制御部１００はイベント情報が記憶されていることの通知を行う。具体的には、制御部１００は、イベント情報が記憶されていることを、表示部１４０や報知部１９０を制御して報知することにより、通知を行う（ステップＳ４０４；Ｎｏ→ステップＳ４０６）。例えば、制御部１００は、表示部１４０に所定の画面を表示したり、表示部１４０全体の明るさを上げたり、点滅させたりする制御を行って報知を行う。また、第２実施形態のステップＳ２２０４と同様に、制御部１００は、音声出力部１９２から音声を発する報知動作を実行したり、発光部１９４から光を発する報知動作を実行したりする。
【０１３８】
また、制御部１００は、ネットワークＮＷ上の他の装置にイベント情報を送信することで通知を行う（ステップＳ４０８）。具体的には、イベント情報を管理者が使用する情報処理装置３０に送信したり、管理者のメールアドレスを送信先としてイベント情報を内容としたメールをメールサーバ４０に送信したりする。
【０１３９】
また、制御部１００は、第２実施形態のステップＳ２０４と同様に、イベント情報の画像データを生成し、画像データ記憶領域１８０に記憶する（ステップＳ４１０）。そして、ステップＳ４１０で記憶したイベント情報の画像データを印刷によって出力することで、イベント情報が記憶されていることやイベント情報の内容の通知を行う（ステップＳ４１２）。なお、ステップＳ４１２においては、制御部１００は、既に印刷したイベント情報の画像データは印刷しないようにしてもよい。
【０１４０】
一方で、画像形成装置１２の機器状態が省エネ状態である場合は（ステップＳ４０４；Ｙｅｓ）、制御部１００は、通知を保留する。すなわち、制御部１００は、ステップＳ４０６〜ステップＳ４１２の処理をスキップすることで、イベント情報が記憶されている場合であっても、画像形成装置１２の機器状態が省エネ状態であれば、直ちに通知を実行しない。制御部１００は、保留した通知について、通知自体を中止してもよいし、利用者がログインしたときに通知を行ってもよい。
【０１４１】
また、制御部１００は、ログイン処理を実行する（ステップＳ１２０）。ログイン処理においては、第１実施形態と同様に、ログインした利用者の属性に基づき、第１の通知又は第２の通知を行う。
【０１４２】
なお、制御部１００は、ステップＳ４０６、ステップＳ４０８、ステップＳ４１２で実行する通知方法のうち、そのうちの１つを実行してもよいし、いくつか組み合わせて実行してもよい。また、制御部１００が実行する通知方法は、例えば、管理者等によって設定可能としてもよい。
【０１４３】
また、画像形成装置１２の機器状態が省エネ状態である場合であっても、省エネ状態において使用可能な機能を用いて、イベント情報を記憶していること通知してもよい。例えば、画像形成装置１２の機器状態が省エネ状態であっても、発光部１９４から光を発する機能が使用可能である場合は、制御部１００は、発光部１９４から光を発する制御を実行してもよい。
【０１４４】
なお、制御部１００は、ステップＳ１１０のイベント検出処理において検出されたイベントに関するジョブログや、ステップＳ４０６、ステップＳ４０８、ステップＳ４１２で実行した処理に関するジョブログを、ジョブログ記憶領域１８４に記憶する。このようにすることで、検出されたイベントの内容や、どのタイミングでどのような通知を行ったかを、利用者がジョブログを参照することで確認することができる。
【０１４５】
また、本実施形態では、画像形成装置１２は、通常状態（第１の状態）と省エネ状態（第２の状態）との２つの機器状態のうち何れかの状態となることとして説明したが、３以上の機器状態のうち何れかの状態となってもよい。例えば、画像形成装置１２は、通常状態と省エネ状態以外に、省エネの動作モードよりもさらに利用者が利用可能な機能を絞った動作モードとして電源ＯＦＦモードを有し、機器状態として電源ＯＦＦモードで動作している状態（第３の状態）があってもよい。この場合、例えば、制御部１００は、通常状態であれば、表示部１４０及び報知部１９０による報知、イベント情報の送信、イベント情報の印刷による通知を行い、省エネ状態であれば、イベント情報の送信による通知だけ行うというようにしてもよい。さらに、電源ＯＦＦ状態であれば、何らの通知も行わないというようにして、機器状態に応じた通知方法を切り替えるようにしてもよい。
【０１４６】
このように、本実施形態によれば、イベント情報が記憶されている場合において、画像形成装置１２の機器状態に応じて通知の有無を切り替えたり、通知方法を切り換えたりすることが可能となる。
【０１４７】
本実施形態によれば、例えば、画像形成装置１２の機器状態が省エネ状態である場合に、通常状態と比べて通知方法を少なくしたり、通知自体を行わないようにしたりすることができる。画像形成装置１２の機器状態が省エネ状態である場合は、管理者も含め画像形成装置１２の近くにいない可能性が高く、イベント情報が記憶されていることを通知しても確認がされないと考えられる。このような場合に、例えば、画像形成装置１２がイベント情報を印刷することによる通知を実行すると、印刷物が管理者等によってすぐに確認されるとは限らないのにも関わらず、印刷を実行することにより電力を消費してしまう。本実施形態は、機器状態が省エネ状態のときに画像形成装置１２は通知の処理を保留したり、限定的に実行したりするため、電力の消費を抑えることが可能である。このように、本実施形態は、省エネ状態を優先させることが利用者によって所望される場合に有効である。
【０１４８】
［５．第５実施形態］
つづいて第５実施形態について説明する。第５実施形態は、第４実施形態とは異なり、イベント情報が記憶されている場合は、制御部１００が動作モードを省エネの動作モードから通常の動作モードに切り替えることで、機器状態を移行させた上で通知を行う実施形態である。動作モードが切り替わることにより、機器状態は第２の状態（例えば、省エネモード）から第１の状態（例えば、通常状態）に移行する。本実施形態は、第４実施形態の図２３を図２４に置き換えたものである。なお、同一の機能部及び処理には同一の符号を付し、説明については省略する。
【０１４９】
本実施形態のメイン処理を、図２３を参照して説明する。なお、処理の流れの説明において、第１の状態を「通常状態」、第２の状態を「省エネ状態」として説明する。
【０１５０】
まず、制御部１００及びイベント検出部１０２はイベント検出処理を実行する。つづいて、制御部１００は、イベント情報記憶領域１７８にイベント情報が記憶されているか否かを判定する（ステップＳ５０２）。イベント情報が記憶されている場合は、制御部１００は、画像形成装置１２の機器状態が省エネ状態であるか否かを判定する（ステップＳ５０４）。なお、制御部１００は、省エネ状態であるか否かの判定を、ステップＳ４０４と同様の方法で判定すればよい。
【０１５１】
画像形成装置１２の機器状態が省エネ状態である場合は、制御部１００は、省エネ状態を解除して、画像形成装置１２の機器状態を通常状態に移行する（ステップＳ５０４；Ｙｅｓ→ステップＳ５０６）。具体的には、制御部１００は、画像形成装置１２の動作モードを、省エネの動作モードから通常の動作モードに切り替えればよい。つづいて、第４実施形態と同様に、制御部１００は、ステップＳ４０６〜ステップＳ４１２の処理を実行して、表示部１４０及び報知部１９０による報知、イベント情報の送信、イベント情報の画像データの印刷といった通知を実行する。
【０１５２】
なお、第４実施形態と同様に、通知の方法は、上述した方法のうちの１つを実行してもよいし、いくつか組み合わせて実行してもよい。また、制御部１００が実行する通知方法は、例えば、管理者等によって設定可能としてもよい。
【０１５３】
また、制御部１００は、ステップＳ１１０のイベント検出処理において検出されたイベントに関するジョブログや、ステップＳ４０６、ステップＳ４０８、ステップＳ４１２で実行した処理に関するジョブログを、ジョブログ記憶領域１８４に記憶する。このようにすることで、検出されたイベントの内容や、どのタイミングでどのような通知を行ったかを、利用者がジョブログを参照することで確認することができる。
【０１５４】
このように、本実施形態によれば、イベント情報が記憶されている場合において、画像形成装置１２の管理者への報知を優先させることが利用者によって所望される場合に有効である。
【０１５５】
［６．第６実施形態］
つづいて第６実施形態について説明する。第６実施形態は、第４実施形態及び第５実施形態とは異なり、人感センサが人を検知しているか否かといった機器状態によって（人感センサが人を検知したときに連動して）通知方法を切り替える実施形態である。すなわち、本実施形態における第１の状態とは人感センサが人を検知している状態であり、第２の状態とは人感センサが人を検知していない状態である。本実施形態は、第４実施形態の図２３を図２６に置き換えたものである。なお、同一の機能部及び処理には同一の符号を付し、説明については省略する。
【０１５６】
本実施形態では、第４実施形態の図２２に示したシステム３において、画像形成装置１２の代わりに画像形成装置１４がネットワークＮＷに接続される。また、本実施形態における画像形成装置１４の機能構成を図２５に示す。画像形成装置１４は、画像形成装置１０とは異なり、第２実施形態で説明した報知部１９０と、人感センサ１９５とを更に備えている。人感センサ１９５は、人感センサ１９５の周囲に人がいるか否かを検知するセンサである。人感センサ１９５は、画像形成装置１４が備えたり、画像形成装置１４と接続され、画像形成装置１４の周囲に設置されたりする。人感センサ１９５は、赤外線を人感センサ１９５の周囲の範囲に投光し、反射が遮られた場合に、人感センサ１９５の周囲に人がいることを検知する。このようにして、人感センサ１９５によって、画像形成装置１４の周囲に人がいるか否かが検知される。
【０１５７】
本実施形態のメイン処理を、図２６を参照して説明する。まず、制御部１００及びイベント検出部１０２はイベント検出処理を実行する（ステップＳ１１０）。つづいて、制御部１００は、イベント情報記憶領域１７８にイベント情報が記憶されているか否かを判定する（ステップＳ６０２）。
【０１５８】
イベント情報が記憶されている場合は、制御部１００は、第４実施形態のステップＳ４０８と同様に、ネットワークＮＷ上の他の装置にイベント情報を送信する（ステップＳ６０２；Ｙｅｓ→ステップＳ６０４）。また、制御部１００は、第４実施形態のステップＳ４１０と同様に、イベント情報の画像データを生成し、画像データ記憶領域１８０に記憶する（ステップＳ６０６）。
【０１５９】
つづいて、制御部１００は、人感センサ１９５によって、画像形成装置１４の周囲に人がいることを検知されているか否かを判定する（ステップＳ６０８）。人がいることを検知されている場合、すなわち、第１の状態である場合は、制御部１００は、第４実施形態のステップＳ４０６と同様に、表示部１４０や報知部１９０を制御して通知を行う（ステップＳ６０８；Ｙｅｓ→ステップＳ６１０）。また、制御部１００は、ステップＳ６０６で記憶したイベント情報の画像データを印刷によって出力することで、イベント情報が記憶されていることの通知を行う（ステップＳ６１２）。なお、ステップＳ６１２においては、制御部１００は、既に印刷したイベント情報の画像データは印刷しないようにしてもよい。
【０１６０】
一方で、制御部１００は、人感センサ１９５によって、人がいることを検知されていない場合、すなわち、第２の状態である場合は、制御部１００は通知を抑制する。具体的にには、制御部１００は、ステップＳ６１０及びステップＳ６１２の処理をスキップする。
【０１６１】
上述した処理により、制御部１００は、周囲に人がいる場合といない場合とで、通知方法を切り替えることができる。また、周囲に人がいるか否かに関わらず、イベント情報を情報処理装置３０に送信することができる。
【０１６２】
なお、第４実施形態と同様に、報知の方法は、上述した方法のうちの１つを実行してもよいし、いくつか組み合わせて実行してもよい。また、制御部１００が実行する報知の方法は、例えば、管理者等によって設定可能としてもよい。
【０１６３】
なお、制御部１００は、ステップＳ１１０のイベント検出処理において検出されたイベントに関するジョブログや、ステップＳ６０４、ステップＳ６１０、ステップＳ６１２で実行した処理に関するジョブログを、ジョブログ記憶領域１８４に記憶する。このようにすることで、検出されたイベントの内容や、どのタイミングでどのような報知を行ったかを、利用者がジョブログを参照することで確認することができる。
【０１６４】
本実施形態によれば、人感センサによって画像形成装置の周囲に人がいるかいないかを検知し、画像形成装置の周囲に人がいる場合に画像形成装置は通知を行い、画像形成装置の周囲に人がいない場合に画像形成装置は通知を抑制することができる。したがって、人感センサが人の存在を検知していない場合は、管理者を含め人が画像形成装置の周囲にいない状況であるため、報知を抑制することができる。画像形成装置の周囲にいないときに通知を抑制することで、余計な音声や光を発することにより、オフィス等、画像形成装置が設置されている環境を乱す可能性を低くすることができる。
【０１６５】
一方で、画像形成装置の周囲に人がいない場合であっても、管理者に対して、イベント情報を送信するため、管理者に対しては報知を行うことができる。
【０１６６】
［７．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１６７】
また、上述した実施形態は、説明の都合上、それぞれ別に説明している部分があるが、技術的に可能な範囲で組み合わせて実行してもよいことは勿論である。例えば、第２実施形態と第３実施形態とを組み合わせて、報知部による報知動作による通知と、ステータスモニタプログラムやメールによる通知とを実行できるようにしてもよい。第２実施形態と第４実施形態とを組み合わせて、ログイン前に報知部による報知動作を行い、管理者がログインした場合に引き続き報知部による報知動作を行うようにしてもよい。第４実施形態と第６実施形態とを組み合わせて、画像形成装置の機器状態が通常状態であり、かつ、人感センサが人を検知しているときに通知を行い、画像形成装置の機器状態が省エネ状態の場合に通知を保留するといったようにしてもよい。また、いずれのように組み合わせた場合であっても、管理者等によって通知方法が選択可能に構成することで、利便性の高い情報処理装置を提供することができる。
【０１６８】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ等の記憶装置に格納され、必要に応じてＣＰＵによって読み出し、修正・書き込みが行なわれる。
【０１６９】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ（Blu-ray Disc）（登録商標）等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１７０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１７１】
１、２、３  システム
１０、１２、１４  画像形成装置
１００  制御部
１０２  イベント検出部
１１０  画像読取部
１２０  画像処理部
１３０  画像形成部
１４０  表示部
１５０  操作入力部
１６０  通信部
１７０  記憶部
１７２  利用者情報記憶領域
１７４  撮像装置情報記憶領域
１７６  撮像画像データ記憶領域
１７８  イベント情報記憶領域
１８０  画像データ記憶領域
１８２  印刷キュー
１８４  ジョブログ記憶領域
１９０  報知部
１９２  音声出力部
１９４  発光部
１９５  人感センサ
２０  撮像装置
２００  制御部
２１０  撮像部
２２０  通信部
２３０  記憶部
２３２  撮像画像データ記憶領域
３０  情報処理装置
３００  制御部
３１０  表示部
３２０  操作入力部
３３０  通信部
３４０  記憶部
３４２  ステータスモニタプログラム
４０  メールサーバ
【図１】
2020205526.tif 000003
【図２】
2020205526.tif 000004
【図３】
2020205526.tif 000005
【図４】
2020205526.tif 000006
【図５】
2020205526.tif 000007
【図６】
2020205526.tif 000008
【図７】
2020205526.tif 000009
【図８】
2020205526.tif 000010
【図９】
2020205526.tif 000011
【図１０】
2020205526.tif 000012
【図１１】
2020205526.tif 000013
【図１２】
2020205526.tif 000014
【図１３】
2020205526.tif 000015
【図１４】
2020205526.tif 000016
【図１５】
2020205526.tif 000017
【図１６】
2020205526.tif 000018
【図１７】
2020205526.tif 000019
【図１８】
2020205526.tif 000020
【図１９】
2020205526.tif 000021
【図２０】
2020205526.tif 000022
【図２１】
2020205526.tif 000023
【図２２】
2020205526.tif 000024
【図２３】
2020205526.tif 000025
【図２４】
2020205526.tif 000026
【図２５】
2020205526.tif 000027
【図２６】
2020205526.tif 000028